(57)【要約】【課題】本発明の目的は、セット発光効率が大きく（すなわち低消費電力で高輝度な表示画像が得られ）かつ明室コントラストも大きいプラズマディスプレイ装置を実現することである。【解決手段】放電のｐｄ積を増大させること、あるいは放電ガス中のＸｅ（キセノン）組成比ａＸｅを増大させることにより発光効率ｈｓを増大しかつ表示放電電圧Ｖｓが増大する。この結果表示電極面積ＳｓｅをＶｓ２に概略反比例して減少させることによりプラズマパネルの表示放電領域面積率Ａｄおよび表示領域反射率βを小さくすることができ、これによりセット発光効率ｈｓやセット輝度Ｂｐｏｎｓを増大させ、かつ明室コントラストＣｂを増大させることができる。【選択図】  図１
2005032478.tif 000002
【特許請求の範囲】
【請求項１】
表示放電を行う為の、少なくともＸ電極及びＹ電極と、
上記Ｘ電極及びＹ電極を少なくとも部分的に覆う誘電体膜と、
放電空間に充填された放電ガスと、
該放電ガスの放電で発生する紫外線による励起で可視光を発光する蛍光体とを少なくとも備える放電セルを複数個備えたプラズマパネルと、
該プラズマパネルを駆動する駆動回路とからなるプラズマディスプレイ装置において、
表示放電を行う為に、前記Ｘ電極及びＹ電極に表示放電パルスが印加される表示期間における、該Ｘ電極と該Ｙ電極の間の印加電圧差の絶対値の最大値Ｖｓｅｍａｘが２００Ｖ以上、１０００Ｖ以下であり、さらに
０．０５  ≦  Ａｄ  ≦  ０．４、
但し、
表示放電領域面積率Ａｄ  ＝  Ｓｄ／Ｓｐ、
前記プラズマパネルにおける，表示用の可視光が放射される面を表示面とし、
該表示面から該可視光が放射される空間を視野空間とし、
上記複数の放電セルを連続的に包含する空間を表示空間とし、
上記表示空間の、上記表示面へ投影された領域を表示領域Ｒｐとし、該表示領域Ｒｐの面積をＳｐとし、
上記放電空間の中で上記表示放電の発生する空間を表示放電空間とし、
上記表示放電空間の、上記表示面へ投影された領域を表示放電領域とし、上記表示領域Ｒｐにおける該表示放電領域の集合をＲｄとし、該表示放電領域の集合Ｒｄの面積をＳｄとし、さらに
上記放電セルの、上記表示面へ投影された領域をセル領域とし、前記複数の放電セルの、少なくとも一部の放電セルにおいて、該セル領域における上記表示放電領域以外の領域を非表示放電領域としたとき、前記視野空間から該非表示放電領域に白色光を入射させたとき、該非表示放電領域から出射する光のエネルギーの、該入射された白色光のエネルギーに対する比が０．２以下であることを特徴とするプラズマディスプレイ装置。
【請求項２】
表示放電を行う為の、少なくともＸ電極及びＹ電極と、
上記Ｘ電極及びＹ電極を少なくとも部分的に覆う誘電体膜と、
放電空間に充填された放電ガスと、
該放電ガスの放電で発生する紫外線による励起で可視光を発光する蛍光体とを少なくとも備える放電セルを複数個備えたプラズマパネルと、
該プラズマパネルを駆動する駆動回路とからなるプラズマディスプレイ装置において、
表示放電を行う為に、前記Ｘ電極及びＹ電極に表示放電パルスが印加される表示期間における、該Ｘ電極と該Ｙ電極の間の印加電圧差の絶対値の最大値Ｖｓｅｍａｘが２００Ｖ以上、１０００Ｖ以下であり、さらに
前記プラズマパネルにおける，表示用の可視光が放射される面を表示面とし、
該表示面から該可視光が放射される空間を視野空間としたとき、
前記複数の放電セルの、少なくとも一部の放電セルが、
前記視野空間から上記表示面に白色光を入射させたとき、該表示面から出射する光のエネルギーの、該入射された白色光のエネルギーに対する比が０．２以下である黒色領域を有し、さらに
０．９５  ≧  Ａｂ  ≧  ０．５、
但し、
黒色領域面積率Ａｂ  ＝  Ｓｂ／Ｓｐ、
上記複数の放電セルを連続的に包含する空間を表示空間とし、
上記表示空間の、上記表示面へ投影された領域を表示領域Ｒｐとし、該表示領域Ｒｐの面積をＳｐとし、
上記表示領域Ｒｐにおける上記黒色領域の集合をＲｂとし、該黒色領域の集合Ｒｂの上記表示面における面積をＳｂとしたことを特徴とするプラズマディスプレイ装置。
【請求項３】
表示放電を行う為の、少なくともＸ電極及びＹ電極と、
上記Ｘ電極及びＹ電極を少なくとも部分的に覆う誘電体膜と、
放電空間に充填された放電ガスと、
該放電ガスの放電で発生する紫外線による励起で可視光を発光する蛍光体とを少なくとも備える放電セルを複数個備えたプラズマパネルと、
該プラズマパネルを駆動する駆動回路とからなるプラズマディスプレイ装置において、
表示放電を行う為に、前記Ｘ電極及びＹ電極に表示放電パルスが印加される表示期間における、該Ｘ電極と該Ｙ電極の間の印加電圧差の絶対値の最大値Ｖｓｅｍａｘが２００Ｖ以上、１０００Ｖ以下であり、さらに
前記プラズマパネルにおける，表示用の可視光が放射される面を表示面とし、
該表示面から該可視光が放射される空間を視野空間とし、
前記視野空間から上記表示面に白色光を入射したとき、該表示面から出射する光のエネルギーの、該入射された白色光のエネルギーに対する比を反射率とし、
前記複数の放電セルの、少なくとも一部の放電セルにおいて、前記反射率の最大値をβｍａｘとしたとき、
前記少なくとも一部の放電セルが、前記反射率が０．５  ×  βｍａｘ以下である黒色領域を有し、下記式が満たされる、
０．９５  ≧  Ａｂ  ≧  ０．５、
但し、
黒色領域面積率Ａｂ  ＝  Ｓｂ／Ｓｐ、
上記複数の放電セルを連続的に包含する空間を表示空間とし、
上記表示空間の、上記表示面へ投影された領域を表示領域Ｒｐとし、該表示領域Ｒｐの面積をＳｐとし、
上記表示領域Ｒｐにおける上記黒色領域の集合をＲｂとし、該黒色領域の集合Ｒｂの上記表示面における面積をＳｂとしたことを特徴とするプラズマディスプレイ装置。
【請求項４】
表示放電を行う為の、少なくともＸ電極及びＹ電極と、
上記Ｘ電極及びＹ電極を少なくとも部分的に覆う誘電体膜と、
放電空間に充填された放電ガスと、
該放電ガスの放電で発生する紫外線による励起で可視光を発光する蛍光体とを少なくとも備える放電セルを複数個備えたプラズマパネルと、
該プラズマパネルを駆動する駆動回路とからなるプラズマディスプレイ装置において、
表示放電を行う為に、前記Ｘ電極及びＹ電極に表示放電パルスが印加される表示期間における、該Ｘ電極と該Ｙ電極の間の印加電圧差の絶対値の最大値Ｖｓｅｍａｘが２００Ｖ以上、１０００Ｖ以下であり、さらに
前記プラズマパネルにおける，表示用の可視光が放射される面を表示面とし、
該表示面から該可視光が放射される空間を視野空間とし、
上記複数の放電セルを連続的に包含する空間を表示空間とし、
上記表示空間の、上記表示面へ投影された領域を表示領域Ｒｐとしたとき、
前記視野空間から前記表示領域に白色光を入射させたとき、該表示領域から出射する光のエネルギーの、該入射された白色光のエネルギーに対する比の、該表示領域における平均値βが下式を満足することを特徴とするプラズマディスプレイ装置。
０．０２  ≦  β  ≦  ０．２
【請求項５】
請求項１に記載のプラズマディスプレイ装置において、
前記駆動回路は、前記表示放電パルスを形成するために、接地電位を含めた複数の電圧を出力する直流電源と、
該直流電源と、前記Ｘ及びＹ電極との間に接続されるスイッチ回路とを備え、
前記表示期間に出力される前記複数の電圧における最大電圧と最小電圧の差の絶対値が２００Ｖ以上、１０００Ｖ以下であることを特徴とするプラズマディスプレイ装置。
【請求項６】
請求項２に記載のプラズマディスプレイ装置において、
前記駆動回路は、前記表示放電パルスを形成するために、接地電位を含めた複数の電圧を出力する直流電源と、
該直流電源と、前記Ｘ及びＹ電極との間に接続されるスイッチ回路とを備え、
前記表示期間に出力される前記複数の電圧における最大電圧と最小電圧の差の絶対値が２００Ｖ以上、１０００Ｖ以下であることを特徴とするプラズマディスプレイ装置。
【請求項７】
請求項３に記載のプラズマディスプレイ装置において、
前記駆動回路は、前記表示放電パルスを形成するために、接地電位を含めた複数の電圧を出力する直流電源と、
該直流電源と、前記Ｘ及びＹ電極との間に接続されるスイッチ回路とを備え、
前記表示期間に出力される前記複数の電圧における最大電圧と最小電圧の差の絶対値が２００Ｖ以上、１０００Ｖ以下であることを特徴とするプラズマディスプレイ装置。
【請求項８】
請求項４に記載のプラズマディスプレイ装置において、
前記駆動回路は、前記表示放電パルスを形成するために、接地電位を含めた複数の電圧を出力する直流電源と、
該直流電源と、前記Ｘ及びＹ電極との間に接続されるスイッチ回路とを備え、
前記表示期間に出力される前記複数の電圧における最大電圧と最小電圧の差の絶対値が２００Ｖ以上、１０００Ｖ以下であることを特徴とするプラズマディスプレイ装置。
【請求項９】
請求項１に記載のプラズマディスプレイ装置において、
上記放電ガスが、Ｘｅガスを含み、上記放電ガスの体積粒子（原子、分子）密度をｎｇとし、上記Ｘｅガスの体積粒子密度をｎＸｅとし、上記放電ガスのＸｅ組成比ａＸｅをａＸｅ  ＝  ｎＸｅ／ｎｇとして、放電ガスのＸｅ組成比ａＸｅが０．１以上であることを特徴とするプラズマディスプレイ装置。
【請求項１０】
請求項２に記載のプラズマディスプレイ装置において、
上記放電ガスが、Ｘｅガスを含み、上記放電ガスの体積粒子（原子、分子）密度をｎｇとし、上記Ｘｅガスの体積粒子密度をｎＸｅとし、上記放電ガスのＸｅ組成比ａＸｅをａＸｅ  ＝  ｎＸｅ／ｎｇとして、放電ガスのＸｅ組成比ａＸｅが０．１以上であることを特徴とするプラズマディスプレイ装置。
【請求項１１】
請求項３に記載のプラズマディスプレイ装置において、
上記放電ガスが、Ｘｅガスを含み、上記放電ガスの体積粒子（原子、分子）密度をｎｇとし、上記Ｘｅガスの体積粒子密度をｎＸｅとし、上記放電ガスのＸｅ組成比ａＸｅをａＸｅ  ＝  ｎＸｅ／ｎｇとして、放電ガスのＸｅ組成比ａＸｅが０．１以上であることを特徴とするプラズマディスプレイ装置。
【請求項１２】
請求項４に記載のプラズマディスプレイ装置において、
上記放電ガスが、Ｘｅガスを含み、上記放電ガスの体積粒子（原子、分子）密度をｎｇとし、上記Ｘｅガスの体積粒子密度をｎＸｅとし、上記放電ガスのＸｅ組成比ａＸｅをａＸｅ  ＝  ｎＸｅ／ｎｇとして、放電ガスのＸｅ組成比ａＸｅが０．１以上であることを特徴とするプラズマディスプレイ装置。
【請求項１３】
請求項１に記載のプラズマディスプレイ装置において、
概略一方向に延在し、該一方向に直交する方向に並べられた複数の隔壁が、前記複数の放電セルの一部を形成し、
該隔壁の高さ方向での、該隔壁の幅の平均値が、前記複数の放電セルの中の少なくとも一部の放電セルにおいて、０．１  ｍｍ以上であることを特徴とするプラズマディスプレイ装置。
【請求項１４】
請求項２に記載のプラズマディスプレイ装置において、
概略一方向に延在し、該一方向に直交する方向に並べられた複数の隔壁が、前記複数の放電セルの一部を形成し、
該隔壁の高さ方向での、該隔壁の幅の平均値が、前記複数の放電セルの中の少なくとも一部の放電セルにおいて、０．１  ｍｍ以上であることを特徴とするプラズマディスプレイ装置。
【請求項１５】
請求項３に記載のプラズマディスプレイ装置において、
概略一方向に延在し、該一方向に直交する方向に並べられた複数の隔壁が、前記複数の放電セルの一部を形成し、
該隔壁の高さ方向での、該隔壁の幅の平均値が、前記複数の放電セルの中の少なくとも一部の放電セルにおいて、０．１  ｍｍ以上であることを特徴とするプラズマディスプレイ装置。
【請求項１６】
請求項４に記載のプラズマディスプレイ装置において、
概略一方向に延在し、該一方向に直交する方向に並べられた複数の隔壁が、前記複数の放電セルの一部を形成し、
該隔壁の高さ方向での、該隔壁の幅の平均値が、前記複数の放電セルの中の少なくとも一部の放電セルにおいて、０．１  ｍｍ以上であることを特徴とするプラズマディスプレイ装置。
【請求項１７】
請求項１に記載のプラズマディスプレイ装置において、
交叉して二方向に延在して格子状に形成された隔壁が、前記複数の放電セルの一部を形成し、前記複数の放電セルの中の少なくとも一部の放電セルにおいて、前記二方向の少なくとも一方向に延在する隔壁において、該隔壁の高さ方向での、該隔壁の幅の平均値が、０．１  ｍｍ以上であることを特徴とするプラズマディスプレイ装置。
【請求項１８】
請求項２に記載のプラズマディスプレイ装置において、
交叉して二方向に延在して格子状に形成された隔壁が、前記複数の放電セルの一部を形成し、前記複数の放電セルの中の少なくとも一部の放電セルにおいて、前記二方向の少なくとも一方向に延在する隔壁において、該隔壁の高さ方向での、該隔壁の幅の平均値が、０．１  ｍｍ以上であることを特徴とするプラズマディスプレイ装置。
【請求項１９】
請求項３に記載のプラズマディスプレイ装置において、
交叉して二方向に延在して格子状に形成された隔壁が、前記複数の放電セルの一部を形成し、前記複数の放電セルの中の少なくとも一部の放電セルにおいて、前記二方向の少なくとも一方向に延在する隔壁において、該隔壁の高さ方向での、該隔壁の幅の平均値が、０．１  ｍｍ以上であることを特徴とするプラズマディスプレイ装置。
【請求項２０】
請求項４に記載のプラズマディスプレイ装置において、
交叉して二方向に延在して格子状に形成された隔壁が、前記複数の放電セルの一部を形成し、前記複数の放電セルの中の少なくとも一部の放電セルにおいて、前記二方向の少なくとも一方向に延在する隔壁において、該隔壁の高さ方向での、該隔壁の幅の平均値が、０．１  ｍｍ以上であることを特徴とするプラズマディスプレイ装置。
【請求項２１】
請求項１７に記載のプラズマディスプレイ装置において、
前記隔壁の高さ方向に座標軸ｚをとり、上記Ｘ電極の上記座標軸ｚの位置座標をｚＸとし、上記Ｙ電極の上記座標軸ｚの位置座標をｚＹとし、上記位置座標ｚＸとｚＹの差の絶対値｜ｚＹ−ｚＸ｜が０．２  ｍｍ以上であることを特徴とするプラズマディスプレイ装置。
【請求項２２】
請求項１８に記載のプラズマディスプレイ装置において、
前記隔壁の高さ方向に座標軸ｚをとり、上記Ｘ電極の上記座標軸ｚの位置座標をｚＸとし、上記Ｙ電極の上記座標軸ｚの位置座標をｚＹとし、上記位置座標ｚＸとｚＹの差の絶対値｜ｚＹ−ｚＸ｜が０．２  ｍｍ以上であることを特徴とするプラズマディスプレイ装置。
【請求項２３】
請求項１９に記載のプラズマディスプレイ装置において、
前記隔壁の高さ方向に座標軸ｚをとり、上記Ｘ電極の上記座標軸ｚの位置座標をｚＸとし、上記Ｙ電極の上記座標軸ｚの位置座標をｚＹとし、上記位置座標ｚＸとｚＹの差の絶対値｜ｚＹ−ｚＸ｜が０．２  ｍｍ以上であることを特徴とするプラズマディスプレイ装置。
【請求項２４】
請求項２０に記載のプラズマディスプレイ装置において、
前記隔壁の高さ方向に座標軸ｚをとり、上記Ｘ電極の上記座標軸ｚの位置座標をｚＸとし、上記Ｙ電極の上記座標軸ｚの位置座標をｚＹとし、上記位置座標ｚＸとｚＹの差の絶対値｜ｚＹ−ｚＸ｜が０．２  ｍｍ以上であることを特徴とするプラズマディスプレイ装置。
【請求項２５】
請求項２１に記載のプラズマディスプレイ装置において、
上記複数の放電セルの各々において、上記表示放電空間を取り囲む固体壁を表示放電空間内面とし、
上記表示放電空間内面のうち表示用の可視光が視野空間に向けて放射する面を開口面とし、上記表示放電空間内面のうち上記開口面以外の固体壁を非開口面とし、
上記非開口面の表面反射率の平均値を非開口面反射率とし、
上記非開口面反射率が８０％以上であることを特徴とするプラズマディスプレイ装置。
【請求項２６】
請求項２２に記載のプラズマディスプレイ装置において、
上記複数の放電セルの各々において、上記表示放電空間を取り囲む固体壁を表示放電空間内面とし、
上記表示放電空間内面のうち表示用の可視光が視野空間に向けて放射する面を開口面とし、上記表示放電空間内面のうち上記開口面以外の固体壁を非開口面とし、
上記非開口面の表面反射率の平均値を非開口面反射率とし、
上記非開口面反射率が８０％以上であることを特徴とするプラズマディスプレイ装置。
【請求項２７】
請求項２３に記載のプラズマディスプレイ装置において、
上記複数の放電セルの各々において、上記表示放電空間を取り囲む固体壁を表示放電空間内面とし、
上記表示放電空間内面のうち表示用の可視光が視野空間に向けて放射する面を開口面とし、上記表示放電空間内面のうち上記開口面以外の固体壁を非開口面とし、
上記非開口面の表面反射率の平均値を非開口面反射率とし、
上記非開口面反射率が８０％以上であることを特徴とするプラズマディスプレイ装置。
【請求項２８】
請求項２４に記載のプラズマディスプレイ装置において、
上記複数の放電セルの各々において、上記表示放電空間を取り囲む固体壁を表示放電空間内面とし、
上記表示放電空間内面のうち表示用の可視光が視野空間に向けて放射する面を開口面とし、上記表示放電空間内面のうち上記開口面以外の固体壁を非開口面とし、
上記非開口面の表面反射率の平均値を非開口面反射率とし、
上記非開口面反射率が８０％以上であることを特徴とするプラズマディスプレイ装置。
【請求項２９】
請求項１記載のプラズマディスプレイ装置を用いた画像表示システム。
【請求項３０】
請求項２記載のプラズマディスプレイ装置を用いた画像表示システム。
【請求項３１】
請求項３記載のプラズマディスプレイ装置を用いた画像表示システム。
【請求項３２】
請求項４記載のプラズマディスプレイ装置を用いた画像表示システム。
【発明の詳細な説明】
【０００１】
【発明の属する技術分野】
本発明は、プラズマディスプレイパネル（Ｐｌａｓｍａ  Ｄｉｓｐｌａｙ  Ｐａｎｅｌ：以下、プラズマパネルまたはＰＤＰとも称する）を用いたプラズマディスプレイ装置およびそれを用いた画像表示システムに関するものである。本発明は、特に、発光効率を向上させ、かつ高コントラストで高画質なディスプレイ装置を提供するのに有効である。
【０００２】
【従来の技術】
近年、大型でかつ厚みの薄いカラー表示装置として、プラズマディスプレイ装置が期待されている。特にＡＣ面放電型ＰＤＰは、構造の単純さと高信頼性のために最も実用化の進んでいる方式である。以下、本発明の主たる従来技術としてＡＣ面放電型ＰＤＰを挙げて、本発明の説明を行うが、本発明の内容は広くプラズマディスプレイ装置全体に適用できるものである。
【０００３】
図２は、プラズマパネルの一例の構造の一部を示す分解斜視図である。前面ガラス基板２１（後に説明する視野空間側の基板）の下面には透明な共通電極（以降Ｘ電極と称す）２２−１乃至２２−２と、透明な独立電極（以降Ｙ電極または走査電極と称す）２３−１乃至２３−２を付設する。また、Ｘ電極２２−１乃至２２−２とＹ電極２３−１乃至２３−２には、それぞれＸバス電極２４−１乃至２４−２とＹバス電極２５−１乃至２５−２を積層付設する。さらに、Ｘ電極２２−１乃至２２−２、Ｙ電極２３−１乃至２３−２、Ｘバス電極２４−１乃至２４−２、Ｙバス電極２５−１乃至２５−２を誘電体２６によって被覆し、酸化マグネシウム（ＭｇＯ）等の保護膜（保護層ともいう）２７を付設する。Ｘ電極２２−１乃至２２−２、Ｙ電極２３−１乃至２３−２、Ｘバス電極２４−１乃至２４−２、Ｙバス電極２５−１乃至２５−２をまとめて表示放電電極または表示電極（ＸとＹの対の概念を含む時は表示放電電極対または表示電極対）と総称する。
【０００４】
また、上記ではＸ電極２２−１乃至２２−２、Ｙ電極２３−１乃至２３−２を透明電極と説明したが、このほうが明るい（輝度の大きな）パネルができるからであり、必ずしも透明である必要はないことは言うまでもない。また、保護膜２７の材料として酸化マグネシウム（ＭｇＯ）を具体的に示したが、必ずしもこれである必要はない。保護膜２７の目的は、入射するイオンから表示放電電極と誘電体２６を保護することと、イオン入射に伴う２次電子放出により放電発生と放電継続を支援することであり、このような目的を達することが出来れば他の材料であっても構わない。このようにして一体加工したものを前面板と呼ぶ。
【０００５】
一方、背面ガラス基板２８の上面には、Ｘ電極２２−１乃至２２−２、Ｙ電極２３−１乃至２３−２と直角に立体交差する電極（以降Ａ電極またはアドレス電極と称す）２９を付設し、該Ａ電極２９を誘電体３０によって被覆し、該誘電体３０の上に隔壁３１をＡ電極２９と平行に設ける。さらに、隔壁３１の壁面と誘電体３０の上面によって形成される凹領域の内側に蛍光体３２を塗布する。このようにして一体加工したものを背面板と呼ぶ。
【０００６】
上記のように必要な構成要素を作り込んだ前面板と背面板を接合し、プラズマを生成するためのガス（放電ガス）を充填し、封止してプラズマパネルが形成される。上記前面、背面基板の接合および封止において上記放電ガスの気密性が保持される必要があることは言うまでもない。
【０００７】
図３は、図２中の矢印Ｄ１の方向から見たＰＤＰの断面図であり、画素の最小単位であるセル１個を概略示している。セルの境界は概略破線で示す位置である。以下、セルのことを放電セルとも呼ぶ。図３において、Ａ電極２９は２つの隔壁３１の中間に位置し、前面ガラス基板２１、背面ガラス基板２８及び隔壁３１に囲まれた放電空間３３には上記プラズマを生成するためのガス（放電ガス）が充填されてある。
【０００８】
なお、放電空間とはプラズマパネルの駆動において、後に述べる表示放電、書き込み放電、予備放電（リセット放電とも称す）のいずれかの発生する空間のことである。さらに、具体的には、上記放電ガスが満たされ、上記放電に必要な電界が印加され、放電発生に必要な空間的広がりを有する空間である。さらに、表示放電の発生する空間（具体的には、上記放電ガスが満たされ、表示放電に必要な電界が印加され、表示放電発生に必要な空間的広がりを有する空間）を表示放電空間と呼ぶ。放電空間および表示放電空間は、個々の放電セルに含まれる空間を意味する場合もあるし、これら空間の集合を意味する場合もある。
【０００９】
カラーＰＤＰでは、通常、セル内に塗布する蛍光体には、赤、緑、青用の３種類がある。この３種類の別々の蛍光体を塗布した３セルをまとめて１画素とする。このようなセル、または画素が複数個連続的かつ周期的に集合した空間を表示空間と呼ぶ。このような表示空間を含み真空封着機能、電極取り出し機能等他の必要な機能を有するものをプラズマディスプレイパネルまたはプラズマパネルと呼ぶ。以下、プラズマパネルをＰＤＰとも記す。
【００１０】
上記プラズマパネルにおいて、上記放電ガスの気密性を保持して一体不可分の構成部を基本プラズマパネルと称す。上記基本プラズマパネルにおいて、表示用の可視光が放射される面を表示面とし、上記表示用の可視光が放射される空間を視野空間とする。上述した如く、上記基本プラズマパネルにおいて少なくとも複数の上記放電セルを連続的に包含する空間が存在し、これを表示空間とする。上記表示空間の上記表示面への投影領域を表示領域Ｒｐとする。また、上記放電空間の上記表示面への投影領域を放電領域とする。また、上記表示放電空間の上記表示面への投影領域を表示放電領域とする。また、上記表示領域Ｒｐにおける上記表示放電領域以外の領域を非表示放電領域とする。また、上記放電セルの上記表示面への投影領域をセル領域とする。また、上記表示面に対して垂直方向を、高さ方向とする。上記放電セルが、隔壁を構成要素の一部として有する時、上記隔壁を介して隣接する２セルの中心間を結ぶ方向を幅方向とし、上記表示面と平行な面において上記幅方向と直角方向を長手方向とする。
【００１１】
上記幅方向の上記隔壁の幅を隔壁幅とし、上記隔壁幅の上記高さ方向での平均値を平均隔壁幅Ｗｒｂａとする。
【００１２】
図２の従来例では、プラズマパネルにおける上記隔壁の長手方向が概略一方向に配置されてある。このようなプラズマパネル構造をストレート隔壁構造と呼ぶ。また、別の従来例では、プラズマパネルにおける上記隔壁の長手方向が少なくとも２方向すなわちＤＲ１とＤＲ２に配置されてある。このようなプラズマパネル構造をボックス隔壁構造と呼ぶ。
【００１３】
図４は、図２中の矢印Ｄ２の方向からみたＰＤＰの断面図であり、概略１個のセルを示している。セルの境界は概略破線で示す位置である。Ｗｇｘｙは、表示電極対（Ｘ電極とＹ電極）間の隙間幅であり、表示電極間ギャップと呼ぶ。図４において、符号３は電子、４は正イオン、５は正壁電荷、６は負壁電荷を示す。
【００１４】
図４には、例として、Ｙ電極２３−１に負の電圧を、Ａ電極２９とＸ電極２２−１に（相対的に）正の電圧を印加して放電が発生、終了した模式図を表している。この結果、Ｙ電極２３−１とＸ電極２２−１の間の放電を開始するための補助となる壁電荷の形成（これを書き込みと称す）が行われている。この状態でＹ電極２３−１とＸ電極２２−１の間に適当な逆の電圧を印加すると、誘電体２６（および保護膜２７）を介して両電極の間の放電空間で放電が起こる。放電終了後Ｙ電極２３−１とＸ電極２２−１の印加電圧を逆にすると、新たに放電が発生する。これを繰り返すことにより継続的に放電を形成できる。これを表示放電（又は維持放電）と呼ぶ。
【００１５】
図５は、ＰＤＰを用いたプラズマディスプレイ装置およびこれに映像源を接続した画像表示システムを示す図である。駆動手段（駆動回路とも呼ぶ）は，映像源からの表示画面の信号を受取り，これを以下に説明するような手順でＰＤＰの駆動信号に変換してＰＤＰを駆動する。
【００１６】
図６は、図２に示したＰＤＰに１枚の画を表示するのに要する１ＴＶフィールド（以下フィールドとも称す）期間の動作を示す図である。図６の（Ａ）はタイムチャートである。その（Ｉ）に示すように１  ＴＶフィールド期間４０は複数の異なる発光回数を持つサブフィールド４１乃至４８に分割されている。各サブフィールド毎の発光と非発光の選択により階調を表現する。各サブフィールドは、図６の（Ａ）の（ＩＩ）に示すように予備放電期間４９、発光セルを規定する書き込み放電期間５０、表示期間（発光表示期間とも呼ぶ）５１からなる。
【００１７】
予備放電期間は、各セルの状態（駆動特性を規定する状態）を均一にし、かつ以降の駆動を安定確実に行なうことを目的とした動作を行なう期間である。通常、予備放電期間において予備放電、リセット放電または全書き放電（表示領域全体を同時に書き込みする放電）が行なわれる。
【００１８】
図６の（Ｂ）は、図６の（Ａ）の書き込み放電期間５０においてＡ電極、Ｘ電極、およびＹ電極に印加される電圧波形を示す。波形５２は、従来技術による書き込み放電期間５０に於ける１本のＡ電極に印加する電圧波形、波形５３はＸ電極に印加する電圧波形、５４、５５はＹ電極のｉ番目と（ｉ＋１）番目に印加する電圧波形であり、それぞれの電圧をＶ０，Ｖ１，Ｖ２（Ｖ）とする。Ｙ電極のｉ行目にスキャンパルス５６（図ではスキャンパルス時の電圧は接地電圧であるが、負電圧にする場合もある）が印加された時、Ａ電極２９との交点に位置するセルで書き込み放電が起こる。又、Ｙ電極のｉ行目にスキャンパルス５６が印加された時、Ａ電極２９がグランド電位であれば書き込み放電は起こらない。
【００１９】
このように、書き込み放電期間５０に於いて、Ｙ電極にはスキャンパルスが１回印加され、Ａ電極２９は、スキャンパルスに対応して、発光セルではＶ０が印加され、非発光セルではグランド電位となる。この書き込み放電が起こった放電セルでは、放電で生じた電荷が、Ｙ電極を覆う誘電体および保護膜の表面に形成される。この電荷によって発生する電界の助けによって後述する表示放電のオンオフを制御できる。すなわち、書き込み放電を起こした放電セルは発光セルとなり、それ以外は非発光セルとなる。
【００２０】
また、書き込み放電を起こした放電セルが非発光セルとなり（書き込み放電により全書き放電で形成した壁電荷を消去する）、それ以外が発光セルとなる駆動法も存在する。
【００２１】
図６の（Ｃ）は、図６の（Ａ）の表示期間５１の間に、表示電極（表示放電電極とも呼ぶ）であるＸ電極とＹ電極の間に一斉に印加される表示放電パルスを示す。Ｘ電極には電圧波形５８が、Ｙ電極には電圧波形５９が印加される。どちらも同じ極性の電圧Ｖ３（Ｖ）のパルスが交互に印加されることにより、Ｘ電極とＹ電極との間の相対電圧は反転を繰り返す。この間にＸ電極とＹ電極の間の放電ガス中で起こる放電を表示放電と称す。ここでは、表示放電はパルス的に交互に行なわれる。
【００２２】
表示期間において、Ｘ電極およびＹ電極に印加される電圧をそれぞれＶｘ（ｔ），  Ｖｙ（ｔ）とし、表示期間においてセルに外部から印加される電圧を表示電極間電圧Ｖｓｅ（ｔ）とすると、表示電極間電圧Ｖｓｅ（ｔ）は、
Ｖｓｅ（ｔ）  ＝  Ｖｙ（ｔ）  −  Ｖｘ（ｔ）                    （１）
である。上記でｔは時間を表す。
【００２３】
表示放電パルス印加時における表示電極間電圧Ｖｓｅ（ｔ）の絶対値｜Ｖｓｅ（ｔ）  ｜の最大値を表示放電最大印加電圧と称し、Ｖｓｅｍａｘで表す。図６の（Ｃ）において、ＶｓｅｍａｘはＶ３  （Ｖ）である。しかし、もし実際に表示電極に印加される電圧が図６の（Ｃ）のような矩形波ではなく、途中（電源−プラズマパネル間）回路の容量、インダクタンス、抵抗等で変動する場合は、Ｖ３は表示放電パルス印加時の平均的な表示電極電圧を表しており、ＶｓｅｍａｘはＶ３とは若干異なった値となる。
【００２４】
上記表示放電パルスを形成する手段は、通常図５の駆動手段の中に設置される。この概要を図７に示してある。上記表示放電パルスを形成する手段は、直流電圧を供給する手段すなわち表示放電直流電源と、上記表示放電直流電源と上記表示電極の間に設置されるスイッチ回路（図７のスイッチ回路Ｘとスイッチ回路Ｙ）を構成要素の一部として構成される。表示放電直流電源は単なるコンデンサーである場合もあるし、さらに単なる接地電極（接地配線）である場合もある。スイッチ回路は、接地電位を含めた表示放電直流電源の出力電圧を選択して表示電極に印加する働きをしている。表示期間における上記表示放電直流電源間の出力電圧差の絶対値の最大値を直流電源表示放電電圧Ｖｓｄｃとする。直流電源表示放電電圧Ｖｓｄｃは上記Ｖ３と概略等しいが、もし実際に表示電極に印加される電圧が図６の（Ｃ）のような矩形波ではなく、途中回路の容量、インダクタンス、抵抗等で変動する場合は、ＶｓｄｃはＶ３とは若干異なった値となる。
【００２５】
以上では、書き込み放電期間と表示期間が分離している駆動方式（書き込み表示分離駆動方式）で表示放電を説明したが、表示放電の本質は、表示に必要な発光を意図的に実現するための放電であり、他の駆動でもこのような放電を表示放電と認識するのは言うまでもない。例えば、上記説明の駆動方式（書き込み表示分離駆動方式）では、書き込み放電期間と発光表示期間の夫々が、全表示領域同時に設定されているが、書き込み放電期間と発光表示期間の夫々を、走査電極（Ｙ電極）毎に別個独立に設定する駆動方式（書き込み・表示同時駆動方式）も可能である。
【００２６】
また、以上の従来例ではいわゆるプログレッシブ駆動方式を用いており、毎フィールド毎に表示領域の全ての放電セルを用いて画像表示が行なわれる。一方、いわゆるインタレース駆動方式も可能である。インタレース駆動方式では、プラズマパネルの放電セルが２種類（例えばＡグループとＢグループ）に分類され、フィールド毎にＡグループとＢグループのいずれかの放電セルを用いて画像表示が行なわれる。例えば、フィールドを時間順交互に奇数フィールドと偶数フィールドに分類し、奇数フィールドではＡグループ放電セルを用いて、偶数フィールドではＢグループ放電セルを用いて画像表示が行なわれる。さらに、上記奇数フィールドと偶数フィールドの駆動において共通の走査電極（Ｙ電極）を用いることも可能である。
【００２７】
以上のようなインタレース駆動方式およびこの駆動方式が適用されるプラズマパネルを用いたプラズマディスプレイ装置をＡＬＩＳ  （Ａｌｔｅｒｎａｔｅ  Ｌｉｇｈｔｉｎｇ  ｏｆ  Ｓｕｒｆａｃｅｓ）方式プラズマディスプレイ装置と呼び、この詳細は「Ｙ．  Ｋａｎａｚａｗａ，  Ｔ．  Ｕｅｄａ，  Ｓ．  Ｋｕｒｏｋｉ，  Ｋ．  Ｋａｒｉｙａ  ａｎｄ  Ｔ．  Ｈｉｒｏｓｅ：”Ｈｉｇｈ−Ｒｅｓｏｌｕｔｉｏｎ  Ｉｎｔｅｒｌａｃｅｄ  Ａｄｄｒｅｓｓｉｎｇ  ｆｏｒ  Ｐｌａｓｍａ  Ｄｉｓｐｌａｙｓ，”  １９９９  ＳＩＤ  Ｉｎｔｅｒｎａｔｉｏｎａｌ  Ｓｙｍｐｏｓｉｕｍ  Ｄｉｇｅｓｔ  ｏｆ  Ｔｅｃｈｎｉｃａｌ  Ｐａｐｅｒｓ，  Ｖｏｌｕｍｅ  ＸＸＸ，  １４．１，  ｐｐ．  １５４−１５７  （１９９９）」（非特許文献１）に発表されている。
【非特許文献１】
Ｙ．  Ｋａｎａｚａｗａ，  Ｔ．  Ｕｅｄａ，  Ｓ．  Ｋｕｒｏｋｉ，  Ｋ．  Ｋａｒｉｙａ  ａｎｄ  Ｔ．  Ｈｉｒｏｓｅ：”Ｈｉｇｈ−Ｒｅｓｏｌｕｔｉｏｎ  Ｉｎｔｅｒｌａｃｅｄ  Ａｄｄｒｅｓｓｉｎｇ  ｆｏｒ  Ｐｌａｓｍａ  Ｄｉｓｐｌａｙｓ，”  １９９９  ＳＩＤ  Ｉｎｔｅｒｎａｔｉｏｎａｌ  Ｓｙｍｐｏｓｉｕｍ  Ｄｉｇｅｓｔ  ｏｆ  Ｔｅｃｈｎｉｃａｌ  Ｐａｐｅｒｓ，  Ｖｏｌｕｍｅ  ＸＸＸ，  １４．１，  ｐｐ．  １５４−１５７  （１９９９）
【００２８】
【発明が解決しようとする課題】
プラズマディスプレイ装置は、すくなくとも複数の放電セルを構成要素とするプラズマディスプレイパネルを有しており、上記放電セル内で放電によりプラズマを形成し、このプラズマの効果により可視光を形成して画像表示を行う装置である。プラズマの効果で可視光を形成する方法には、プラズマから直接発光する可視光を利用する方法と、プラズマから発光する紫外線により蛍光体を発光させこの可視光を利用する方法がある。通常は、後者の方法が用いられる。
【００２９】
このプラズマディスプレイ装置において、技術改善が最も強く望まれるのが発光効率ｈである。発光効率ｈとは、表示画面の光束（輝度と表示面積と表示立体角の積に比例）を、その表示を行うためにパネルに投入した電力で割った値である。通常は、ｌｍ／Ｗの単位で表す。発光効率が高いほど、小さなパネル投入電力で明るい表示画面を実現できる。すなわち、プラズマディスプレイ装置においてはより高い発光効率が望まれる。
【００３０】
一方プラズマディスプレイ装置の重要な性能として、コントラストＣがある。コントラストＣは、
Ｃ  ＝  Ｂｐｏｎ／Ｂｏｆｆ                              （２）
と定義される。Ｂｐｏｎは最高輝度表示をした時の輝度、Ｂｏｆｆは黒表示をした時の輝度であり、いずれもｃｄ／ｍ２の単位で表現される。輝度は、通常輝度計を用いて測定される。
【００３１】
コントラストＣはさらに、明室コントラストＣｂおよび暗室コントラストＣｄとして区別して測定され、それぞれ明るい環境（通常は家庭内居間の明るさすなわち照度１５０〜２００  ｌｘ（ルックス）を想定）および暗室でのコントラストに対応する。（２）式で求められるコントラストの値が大きいほど、より鮮明で美しい画像を表現できる。すなわち、プラズマディスプレイ装置ではより大きなコントラストが求められる。
【００３２】
プラズマディスプレイ装置においては、暗室における黒表示時の輝度Ｂｏｆｆは必ずしも０ではない。なぜなら、予備放電期間における予備放電（リセット放電または全書き放電とも呼ぶ）や書き込み放電期間における書き込み放電により、必ずしも画像表示に必要でない発光が生じるからである。したがって、プラズマディスプレイ装置においては、暗室コントラストも無限大でなく有限値を有する。この値は、
Ｃｄ  ＝  Ｂｐｏｎｄ／Ｂｏｆｆｄ                          （３）
である。ただし、ＢｐｏｎｄおよびＢｏｆｆｄは、それぞれ「暗室における最高輝度表示をした時の輝度  ［ｃｄ／ｍ２］」および「暗室における黒表示をした時の輝度  ［ｃｄ／ｍ２］」である。暗室コントラストＣｄを大きくするには、Ｂｐｏｎｄを大きくするかＢｏｆｆｄを小さくするかであり、セル構造および放電特性で決定される。
【００３３】
一方、明室コントラストＣｂを大きくするために、光の透過特性を制御したフィルターが通常用いられる。後述するように、明室コントラストＣｂを増大させるためにフィルター透過率αを小さくすると、フィルターを用いたときの発光効率、即ちセット発光効率ｈｓがαに比例して減少してしまう。すなわち、従来のプラズマディスプレイ装置においては、セット発光効率ｈｓと明室コントラストＣｂはトレードオフ（二律背反）の関係にあり、両者を同時に高い水準で満足することが難しかった。
【００３４】
【課題を解決するための手段】
本発明のプラズマディスプレイ装置は、プラズマディスプレイ装置の発光効率と該装置による表示の明室コントラストの間のトレードオフ関係を改善したものであり、セット発光効率が大きく（すなわち低消費電力で高輝度な表示画像が得られ）かつ明室コントラストも大きいプラズマディスプレイ装置を実現するものである。
【００３５】
本書において開示される発明のうち、代表的なものの概要を説明すれば、下記の通りである。
（１）  表示放電を行う為の、少なくともＸ電極及びＹ電極と、上記Ｘ電極及びＹ電極を少なくとも部分的に覆う誘電体膜と、放電空間に充填された放電ガスと、該放電ガスの放電で発生する紫外線による励起で可視光を発光する蛍光体とを少なくとも備える放電セルを複数個備えたプラズマパネルと、該プラズマパネルを駆動する駆動回路とからなるプラズマディスプレイ装置において、表示放電を行う為に、前記Ｘ電極及びＹ電極に表示放電パルスが印加される表示期間における、該Ｘ電極と該Ｙ電極の間の印加電圧差の絶対値の最大値Ｖｓｅｍａｘが２００Ｖ以上、１０００Ｖ以下であり、さらに０．０５  ≦  Ａｄ  ≦  ０．４、但し、表示放電領域面積率Ａｄ  ＝  Ｓｄ／Ｓｐ、  前記プラズマパネルにおける，表示用の可視光が放射される面を表示面とし、該表示面から該可視光が放射される空間を視野空間とし、上記複数の放電セルを連続的に包含する空間を表示空間とし、上記表示空間の、上記表示面へ投影された領域を表示領域Ｒｐとし、該表示領域Ｒｐの面積をＳｐとし、上記放電空間の中で上記表示放電の発生する空間を表示放電空間とし、上記表示放電空間の、上記表示面へ投影された領域を表示放電領域とし、上記表示領域Ｒｐにおける該表示放電領域の集合をＲｄとし、該表示放電領域の集合Ｒｄの面積をＳｄとし、さらに上記放電セルの、上記表示面へ投影された領域をセル領域とし、前記複数の放電セルの、少なくとも一部の放電セルにおいて、上記セル領域における上記表示放電領域以外の領域を非表示放電領域としたとき、前記視野空間から該非表示放電領域に白色光を入射させたとき、該非表示放電領域から出射する光のエネルギーの、該入射された白色光のエネルギーに対する比が０．２以下であることを特徴とするプラズマディスプレイ装置。
（２）  表示放電を行う為の、少なくともＸ電極及びＹ電極と、上記Ｘ電極及びＹ電極を少なくとも部分的に覆う誘電体膜と、放電空間に充填された放電ガスと、該放電ガスの放電で発生する紫外線による励起で可視光を発光する蛍光体とを少なくとも備える放電セルを複数個備えたプラズマパネルと、該プラズマパネルを駆動する駆動回路とからなるプラズマディスプレイ装置において、表示放電を行う為に、前記Ｘ電極及びＹ電極に表示放電パルスが印加される表示期間における、該Ｘ電極と該Ｙ電極の間の印加電圧差の絶対値の最大値Ｖｓｅｍａｘが２００Ｖ以上、１０００Ｖ以下であり、さらに前記プラズマパネルにおける，表示用の可視光が放射される面を表示面とし、該表示面から該可視光が放射される空間を視野空間としたとき、前記複数の放電セルの、少なくとも一部の放電セルが、前記視野空間から上記表示面に白色光を入射させたとき、該表示面から出射する光のエネルギーの、該入射された白色光のエネルギーに対する比が０．２以下である黒色領域を有し、さらに０．９５  ≧  Ａｂ  ≧  ０．５、但し、黒色領域面積率Ａｂ  ＝  Ｓｂ／Ｓｐ、上記複数の放電セルを連続的に包含する空間を表示空間とし、上記表示空間の、上記表示面へ投影された領域を表示領域Ｒｐとし、該表示領域Ｒｐの面積をＳｐとし、上記表示領域Ｒｐにおける上記黒色領域の集合をＲｂとし、該黒色領域の集合Ｒｂの上記表示面における面積をＳｂとしたことを特徴とするプラズマディスプレイ装置。
（３）  表示放電を行う為の、少なくともＸ電極及びＹ電極と、上記Ｘ電極及びＹ電極を少なくとも部分的に覆う誘電体膜と、放電空間に充填された放電ガスと、該放電ガスの放電で発生する紫外線による励起で可視光を発光する蛍光体とを少なくとも備える放電セルを複数個備えたプラズマパネルと、該プラズマパネルを駆動する駆動回路とからなるプラズマディスプレイ装置において、表示放電を行う為に、前記Ｘ電極及びＹ電極に表示放電パルスが印加される表示期間における、該Ｘ電極と該Ｙ電極の間の印加電圧差の絶対値の最大値Ｖｓｅｍａｘが２００Ｖ以上、１０００Ｖ以下であり、さらに前記プラズマパネルにおける，表示用の可視光が放射される面を表示面とし、該表示面から該可視光が放射される空間を視野空間とし、前記視野空間から上記表示面に白色光を入射したとき、該表示面から出射する光のエネルギーの、該入射された白色光のエネルギーに対する比を反射率とし、前記複数の放電セルの、少なくとも一部の放電セルにおいて、前記反射率の最大値をβｍａｘとしたとき、前記少なくとも一部の放電セルが、前記反射率が０．５  ×  βｍａｘ以下である黒色領域を有し、下記式が満たされる、
０．９５  ≧  Ａｂ  ≧  ０．５、但し、黒色領域面積率Ａｂ  ＝  Ｓｂ／Ｓｐ、上記複数の放電セルを連続的に包含する空間を表示空間とし、上記表示空間の、上記表示面へ投影された領域を表示領域Ｒｐとし、該表示領域Ｒｐの面積をＳｐとし、上記表示領域Ｒｐにおける上記黒色領域の集合をＲｂとし、該黒色領域の集合Ｒｂの上記表示面における面積をＳｂとしたことを特徴とするプラズマディスプレイ装置。
（４）  表示放電を行う為の、少なくともＸ電極及びＹ電極と、上記Ｘ電極及びＹ電極を少なくとも部分的に覆う誘電体膜と、放電空間に充填された放電ガスと、該放電ガスの放電で発生する紫外線による励起で可視光を発光する蛍光体とを少なくとも備える放電セルを複数個備えたプラズマパネルと、該プラズマパネルを駆動する駆動回路とからなるプラズマディスプレイ装置において、表示放電を行う為に、前記Ｘ電極及びＹ電極に表示放電パルスが印加される表示期間における、該Ｘ電極と該Ｙ電極の間の印加電圧差の絶対値の最大値Ｖｓｅｍａｘが２００Ｖ以上、１０００Ｖ以下であり、さらに前記プラズマパネルにおける，表示用の可視光が放射される面を表示面とし、該表示面から該可視光が放射される空間を視野空間とし、上記複数の放電セルを連続的に包含する空間を表示空間とし、上記表示空間の、上記表示面へ投影された領域を表示領域Ｒｐとしたとき、前記視野空間から前記表示領域に白色光を入射させたとき、該表示領域から出射する光のエネルギーの、該入射された白色光のエネルギーに対する比の、該表示領域における平均値βが下式を満足することを特徴とするプラズマディスプレイ装置。０．０２  ≦  β  ≦  ０．２
（５）  （１）に記載のプラズマディスプレイ装置において、前記駆動回路は、前記表示放電パルスを形成するために、接地電位を含めた複数の電圧を出力する直流電源と、該直流電源と、前記Ｘ及びＹ電極との間に接続されるスイッチ回路とを備え、前記表示期間に出力される前記複数の電圧における最大電圧と最小電圧の差の絶対値が２００Ｖ以上、１０００Ｖ以下であることを特徴とするプラズマディスプレイ装置。
（６）  （２）に記載のプラズマディスプレイ装置において、前記駆動回路は、前記表示放電パルスを形成するために、接地電位を含めた複数の電圧を出力する直流電源と、該直流電源と、前記Ｘ及びＹ電極との間に接続されるスイッチ回路とを備え、前記表示期間に出力される前記複数の電圧における最大電圧と最小電圧の差の絶対値が２００Ｖ以上、１０００Ｖ以下であることを特徴とするプラズマディスプレイ装置。
（７）  （３）に記載のプラズマディスプレイ装置において、前記駆動回路は、前記表示放電パルスを形成するために、接地電位を含めた複数の電圧を出力する直流電源と、該直流電源と、前記Ｘ及びＹ電極との間に接続されるスイッチ回路とを備え、前記表示期間に出力される前記複数の電圧における最大電圧と最小電圧の差の絶対値が２００Ｖ以上、１０００Ｖ以下であることを特徴とするプラズマディスプレイ装置。
（８）  （４）に記載のプラズマディスプレイ装置において、前記駆動回路は、前記表示放電パルスを形成するために、接地電位を含めた複数の電圧を出力する直流電源と、該直流電源と、前記Ｘ及びＹ電極との間に接続されるスイッチ回路とを備え、前記表示期間に出力される前記複数の電圧における最大電圧と最小電圧の差の絶対値が２００Ｖ以上、１０００Ｖ以下であることを特徴とするプラズマディスプレイ装置。
（９）  （１）に記載のプラズマディスプレイ装置において、上記放電ガスが、Ｘｅガスを含み、上記放電ガスの体積粒子（原子、分子）密度をｎｇとし、上記Ｘｅガスの体積粒子密度をｎＸｅとし、上記放電ガスのＸｅ組成比ａＸｅをａＸｅ＝ｎＸｅ／ｎｇとして、放電ガスのＸｅ組成比ａＸｅが０．１以上であることを特徴とするプラズマディスプレイ装置。
（１０）  （２）に記載のプラズマディスプレイ装置において、上記放電ガスが、Ｘｅガスを含み、上記放電ガスの体積粒子（原子、分子）密度をｎｇとし、上記Ｘｅガスの体積粒子密度をｎＸｅとし、上記放電ガスのＸｅ組成比ａＸｅをａＸｅ＝ｎＸｅ／ｎｇとして、放電ガスのＸｅ組成比ａＸｅが０．１以上であることを特徴とするプラズマディスプレイ装置。
（１１）  （３）に記載のプラズマディスプレイ装置において、上記放電ガスが、Ｘｅガスを含み、上記放電ガスの体積粒子（原子、分子）密度をｎｇとし、上記Ｘｅガスの体積粒子密度をｎＸｅとし、上記放電ガスのＸｅ組成比ａＸｅをａＸｅ  ＝  ｎＸｅ／ｎｇとして、放電ガスのＸｅ組成比ａＸｅが０．１以上であることを特徴とするプラズマディスプレイ装置。
（１２）  （４）に記載のプラズマディスプレイ装置において、上記放電ガスが、Ｘｅガスを含み、上記放電ガスの体積粒子（原子、分子）密度をｎｇとし、上記Ｘｅガスの体積粒子密度をｎＸｅとし、上記放電ガスのＸｅ組成比ａＸｅをａＸｅ  ＝  ｎＸｅ／ｎｇとして、放電ガスのＸｅ組成比ａＸｅが０．１以上であることを特徴とするプラズマディスプレイ装置。
（１３）  （１）に記載のプラズマディスプレイ装置において、概略一方向に延在し、該一方向に直交する方向に並べられた複数の隔壁が、前記複数の放電セルの一部を形成し、該隔壁の高さ方向での、該隔壁の幅の平均値が、前記複数の放電セルの中の少なくとも一部の放電セルにおいて、０．１  ｍｍ以上であることを特徴とするプラズマディスプレイ装置。
（１４）  （２）に記載のプラズマディスプレイ装置において、概略一方向に延在し、該一方向に直交する方向に並べられた複数の隔壁が、前記複数の放電セルの一部を形成し、該隔壁の高さ方向での、該隔壁の幅の平均値が、前記複数の放電セルの中の少なくとも一部の放電セルにおいて、０．１  ｍｍ以上であることを特徴とするプラズマディスプレイ装置。
（１５）  （３）に記載のプラズマディスプレイ装置において、概略一方向に延在し、該一方向に直交する方向に並べられた複数の隔壁が、前記複数の放電セルの一部を形成し、該隔壁の高さ方向での、該隔壁の幅の平均値が、前記複数の放電セルの中の少なくとも一部の放電セルにおいて、０．１  ｍｍ以上であることを特徴とするプラズマディスプレイ装置。
（１６）  （４）に記載のプラズマディスプレイ装置において、概略一方向に延在し、該一方向に直交する方向に並べられた複数の隔壁が、前記複数の放電セルの一部を形成し、該隔壁の高さ方向での、該隔壁の幅の平均値が、前記複数の放電セルの中の少なくとも一部の放電セルにおいて、０．１  ｍｍ以上であることを特徴とするプラズマディスプレイ装置。
（１７）  （１）に記載のプラズマディスプレイ装置において、交叉して二方向に延在して格子状に形成された隔壁が、前記複数の放電セルの一部を形成し、前記複数の放電セルの中の少なくとも一部の放電セルにおいて、前記二方向の少なくとも一方向に延在する隔壁において、該隔壁の高さ方向での、該隔壁の幅の平均値が、０．１  ｍｍ以上であることを特徴とするプラズマディスプレイ装置。
（１８）  （２）に記載のプラズマディスプレイ装置において、交叉して二方向に延在して格子状に形成された隔壁が、前記複数の放電セルの一部を形成し、前記複数の放電セルの中の少なくとも一部の放電セルにおいて、前記二方向の少なくとも一方向に延在する隔壁において、該隔壁の高さ方向での、該隔壁の幅の平均値が、０．１  ｍｍ以上であることを特徴とするプラズマディスプレイ装置。
（１９）  （３）に記載のプラズマディスプレイ装置において、交叉して二方向に延在して格子状に形成された隔壁が、前記複数の放電セルの一部を形成し、前記複数の放電セルの中の少なくとも一部の放電セルにおいて、前記二方向の少なくとも一方向に延在する隔壁において、該隔壁の高さ方向での、該隔壁の幅の平均値が、０．１  ｍｍ以上であることを特徴とするプラズマディスプレイ装置。
（２０）  （４）に記載のプラズマディスプレイ装置において、交叉して二方向に延在して格子状に形成された隔壁が、前記複数の放電セルの一部を形成し、前記複数の放電セルの中の少なくとも一部の放電セルにおいて、前記二方向の少なくとも一方向に延在する隔壁において、該隔壁の高さ方向での、該隔壁の幅の平均値が、０．１  ｍｍ以上であることを特徴とするプラズマディスプレイ装置。
（２１）  （１７）に記載のプラズマディスプレイ装置において、前記隔壁の高さ方向に座標軸ｚをとり、上記Ｘ電極の上記座標軸ｚの位置座標をｚＸとし、上記Ｙ電極の上記座標軸ｚの位置座標をｚＹとし、上記位置座標ｚＸとｚＹの差の絶対値｜ｚＹ−ｚＸ｜が０．２  ｍｍ以上であることを特徴とするプラズマディスプレイ装置。
（２２）  （１８）に記載のプラズマディスプレイ装置において、前記隔壁の高さ方向に座標軸ｚをとり、上記Ｘ電極の上記座標軸ｚの位置座標をｚＸとし、上記Ｙ電極の上記座標軸ｚの位置座標をｚＹとし、上記位置座標ｚＸとｚＹの差の絶対値｜ｚＹ−ｚＸ｜が０．２  ｍｍ以上であることを特徴とするプラズマディスプレイ装置。
（２３）  （１９）に記載のプラズマディスプレイ装置において、前記隔壁の高さ方向に座標軸ｚをとり、上記Ｘ電極の上記座標軸ｚの位置座標をｚＸとし、上記Ｙ電極の上記座標軸ｚの位置座標をｚＹとし、上記位置座標ｚＸとｚＹの差の絶対値｜ｚＹ−ｚＸ｜が０．２  ｍｍ以上であることを特徴とするプラズマディスプレイ装置。
（２４）  （２０）に記載のプラズマディスプレイ装置において、前記隔壁の高さ方向に座標軸ｚをとり、上記Ｘ電極の上記座標軸ｚの位置座標をｚＸとし、上記Ｙ電極の上記座標軸ｚの位置座標をｚＹとし、上記位置座標ｚＸとｚＹの差の絶対値｜ｚＹ−ｚＸ｜が０．２  ｍｍ以上であることを特徴とするプラズマディスプレイ装置。
（２５）  （２１）に記載のプラズマディスプレイ装置において、上記複数の放電セルの各々において、上記表示放電空間を取り囲む固体壁を表示放電空間内面とし、上記表示放電空間内面のうち表示用の可視光が視野空間に向けて放射する面を開口面とし、上記表示放電空間内面のうち上記開口面以外の固体壁を非開口面とし、上記非開口面の表面反射率の平均値を非開口面反射率とし、上記非開口面反射率が８０％以上であることを特徴とするプラズマディスプレイ装置。
（２６）  （２２）に記載のプラズマディスプレイ装置において、上記複数の放電セルの各々において、上記表示放電空間を取り囲む固体壁を表示放電空間内面とし、上記表示放電空間内面のうち表示用の可視光が視野空間に向けて放射する面を開口面とし、上記表示放電空間内面のうち上記開口面以外の固体壁を非開口面とし、上記非開口面の表面反射率の平均値を非開口面反射率とし、上記非開口面反射率が８０％以上であることを特徴とするプラズマディスプレイ装置。
（２７）  （２３）に記載のプラズマディスプレイ装置において、上記複数の放電セルの各々において、上記表示放電空間を取り囲む固体壁を表示放電空間内面とし、上記表示放電空間内面のうち表示用の可視光が視野空間に向けて放射する面を開口面とし、上記表示放電空間内面のうち上記開口面以外の固体壁を非開口面とし、上記非開口面の表面反射率の平均値を非開口面反射率とし、上記非開口面反射率が８０％以上であることを特徴とするプラズマディスプレイ装置。
（２８）  （２４）に記載のプラズマディスプレイ装置において、上記複数の放電セルの各々において、上記表示放電空間を取り囲む固体壁を表示放電空間内面とし、上記表示放電空間内面のうち表示用の可視光が視野空間に向けて放射する面を開口面とし、上記表示放電空間内面のうち上記開口面以外の固体壁を非開口面とし、上記非開口面の表面反射率の平均値を非開口面反射率とし、上記非開口面反射率が８０％以上であることを特徴とするプラズマディスプレイ装置。
（２９）  （１）に記載のプラズマディスプレイ装置を用いた画像表示システム。
（３０）  （２）に記載のプラズマディスプレイ装置を用いた画像表示システム。
（３１）  （３）に記載のプラズマディスプレイ装置を用いた画像表示システム。
（３２）  （４）に記載のプラズマディスプレイ装置を用いた画像表示システム。
【００３６】
【発明の実施の形態】
本発明の実施の形態を説明する前に、本発明者が、種々考察した結果を以下に記述する。
【００３７】
前述の明室コントラストＣｂを大きくするために、通常、光の透過特性を制御したフィルターが用いられる。図８にその概略構成を示してある。以下、フィルターによる明室コントラストＣｂ増大の原理を説明する。
【００３８】
図８の構成において、プラズマパネルと記した部分が、通常、基本プラズマパネルに相当する部分である。基本プラズマパネルをモジュールと呼ぶこともある。図８の構成において、視点方向から表示画像を見た時の明室コントラストＣｂは概略、
2005032478.tif 000003
となる。ただし、
Ｂｐｏｎｍ：  フィルターなしで（すなわちプラズマパネルだけで）暗室における最高輝度表示をした時の輝度、すなわちモジュール輝度またはモジュールピーク輝度  ［ｃｄ／ｍ２］、
Ｂｏｆｆｍ：  フィルターなしで（すなわちプラズマパネルだけで）暗室における黒表示をした時の輝度  ［ｃｄ／ｍ２］、
Ｂｒ：  明室における外光がフィルター前面（フィルターの視点側面）に仮想的に設置した完全反射面（表面反射率１００％の拡散反射面）で形成する輝度  ［ｃｄ／ｍ２］、
α：  フィルターの透過率、
β：  プラズマパネルの表示領域における表示面での表面反射率の平均値、すなわち表示領域表面反射率
である。
【００３９】
明室環境照度をＬ  ｌｘとすると、Ｂｒ  ＝  Ｌ／π  ≒  Ｌ／３．１４  ｃｄ／ｍ２である。
【００４０】
表面反射率とは、「ある面（入射面）に入射した光の一部が反射光として出射する状況において、入射光エネルギーに対する反射光エネルギーの割合」である。また、透過率とは、「ある物体の表面（入射面）に入射した光の一部がその物体を透過して透過光として出射する状況において、入射光エネルギーに対する透過光エネルギーの割合」である。
【００４１】
表面反射率および透過率とも、入射面の任意の場所において入射光の波長程度の精度で場所を特定して定義および測定することが原理的に可能である。通常は、表面反射率および透過率とも、表面反射率測定器および透過率測定器を用いて入射面の場所の関数として測定される。通常は、表面反射率、透過率とも入射光の波長の関数である。したがって、（４）式の表面反射率βおよび透過率αは、可視光波長の範囲において室内光の波長分布スペクトラムと人間の視感度を考慮して決定される平均値である。さらに簡便には、人間の視感度の大きな波長範囲すなわち５００  ｎｍ  〜６００  ｎｍの波長範囲における表面反射率および透過率の平均値である。また、（４）式においてフィルター表面での可視光の反射はないと仮定した。
【００４２】
（４）式においてＢｒ  ＝  ０としたＣｂは暗室コントラストＣｄを与え、
Ｃｄ  ＝  Ｂｐｏｎｍ／Ｂｏｆｆｍ                          （５）
となる。
【００４３】
（４）式において通常の明室条件（Ｌ  ＝  １５０〜２００  ｌｘ）では、
Ｂｐｏｎｍ  ×  α  ＞＞  Ｂｒ  ×  α２  ×  β、
Ｂｏｆｆｍ  ×  α  ＜＜  Ｂｒ  ×  α２  ×  βである。
【００４４】
したがって、（４）式は
Ｃｂ  ≒  Ｂｐｏｎｍ／（Ｂｒ  ×  α  ×  β）              （６）
となる。すなわち、Ｂｐｏｎｍ，  Ｂｒ，  βが一定のとき、フィルター透過率αを小さくすると明室コントラストＣｂはαに反比例して大きくなる。これが、フィルターにより明室コントラストを増大させる原理である。
【００４５】
次に、発光効率の議論を行なう。発光効率ｈは、フィルターを用いない時（すなわち図８でプラズマパネルだけの時）の発光効率ｈｍとフィルターを用いた時（すなわち図８でフィルターを設置した時）の発光効率ｈｓを定義することができ、
2005032478.tif 000004
である。ただし、
ｈｍ：  フィルターを用いない時の発光効率、モジュール発光効率と呼ぶ  ［ｌｍ／Ｗ］、
ｈｓ：  フィルターを用いた時の発光効率、セット発光効率と呼ぶ  ［ｌｍ／Ｗ］、
π：  円周率、
Ｓｐ：  発光表示領域の面積  ［ｍ２］、
Ｐｐ：  プラズマパネルへの投入電力  ［Ｗ］
である。ただし、発光は完全拡散発光であると仮定した。
【００４６】
式（７），（８ａ），（８ｂ）は、最高輝度表示時の表現であるが、任意の階調表示時において、（８ｂ）式の関係は成立する。上記２種類の発光効率において、最終的に重要なのは当然セット発光効率である。（８ｂ）式より、モジュール発光効率ｈｍが一定であっても、明室コントラストＣｂを増大させるためにフィルター透過率αを小さくすると、セット発光効率ｈｓがαに比例して減少してしまうことがわかる。
【００４７】
すなわち、従来のプラズマディスプレイ装置においては、セット発光効率ｈｓと明室コントラストＣｂはトレードオフ（二律背反）の関係にあり、両者を同時に高い水準で満足することが難しかった。本発明の目的は、セット発光効率が大きく（すなわち低消費電力で高輝度な表示画像が得られ）かつ明室コントラストも大きいプラズマディスプレイ装置を実現することである。
【００４８】
次に、プラズマディスプレイ装置の発光効率を増大する技術について検討し、その後にフィルター透過率αを小さくすることなく明室コントラストも増大する方法について検討する。
【００４９】
プラズマディスプレイ装置の発光効率を増大するには、放電の紫外線発生効率ｈｖｕｖを増大することが最も重要である。このことは、発明者等の発表論文「鈴木敬三、植村  典弘、何  希倫、椎木  正敏：”ＡＣ−ＰＤＰの紫外線発生効率”，  月刊ディスプレイ，  Ｖｏｌ．  ７，  Ｎｏ．  ５，  ｐｐ．  ４８−５３  （Ｍａｙ，  ２００１）」および「Ｋ．  Ｓｕｚｕｋｉ，  Ｎ．  Ｕｅｍｕｒａ，  Ｓ．  Ｈｏ  ａｎｄ  Ｍ．  Ｓｈｉｉｋｉ：  ”Ｕｌｔｒａｖｉｏｌｅｔ  Ｐｒｏｄｕｃｔｉｏｎ  Ｅｆｆｉｃｉｅｎｃｙ  ｏｆ  ＡＣ−ＰＤＰｓ  ａｎｄ  Ｗａｙｓ  ｔｏ  Ｉｎｃｒｅａｓｅ  Ｉｔ”，  ３ｒｄ  Ｉｎｔｅｒｎａｔｉｏｎａｌ  Ｃｏｎｆｅｒｅｎｃｅ  ｏｎ  Ａｔｏｍｉｃ  ａｎｄ  Ｍｏｌｅｃｕｌａｒ  Ｄａｔａ  ａｎｄ  Ｔｈｅｉｒ  Ａｐｐｌｉｃａｔｉｏｎｓ  ＩＣＡＭＤＡＴＡ，  ＡＩＰ  Ｃｏｎｆｅｒｅｎｃｅ  Ｐｒｏｃｅｅｄｉｎｇｓ  Ｖｏｌ．  ６３６，  ｐｐ．  ７５−８４  （２００２）」に記載されている。
【００５０】
紫外線発生効率ｈｖｕｖとは、「プラズマパネルに投入する電力に対する、放電で発生する紫外線量を電力換算した値の比」である。
【００５１】
発明者等は、理論的検討により、紫外線発生効率を増大する方法は基本的に（１）放電の電子温度Ｔｅを減少させるか、（２）放電ガス中のＸｅ（キセノン）組成比ａＸｅを増大させるかの２種類であることを明らかにした。このことは、発明者等の発表論文「Ｋｅｉｚｏ  Ｓｕｚｕｋｉ，  Ｙｏｓｈｉｍｉ  Ｋａｗａｎａｍｉ，  Ｓｈｉｒｕｎ  Ｈｏ，  Ｎｏｒｉｈｉｒｏ  Ｕｅｍｕｒａ，  Ｙｕｓｕｋｅ  Ｙａｊｉｍａ，  Ｎｏｒｉｙｕｋｉ  Ｋｏｕｃｈｉ  ａｎｄ  Ｙｏｓｈｉｈｉｋｏ  Ｈａｔａｎｏ：  ”Ｔｈｅｏｒｅｔｉｃａｌ  ｆｏｒｍｕｌａｔｉｏｎ  ｏｆ  ｔｈｅ  ＶＵＶ  ｐｒｏｄｕｃｔｉｏｎ  ｅｆｆｉｃｉｅｎｃｙ  ｉｎ  ａ  ｐｌａｓｍａ  ｄｉｓｐｌａｙ  ｐａｎｅｌ，”  Ｊ．  Ａｐｐｌ．  Ｐｈｙｓ．，  Ｖｏｌ．  ８８，  ｐｐ．  ５６０５−５６１１  （２０００）」に記載されている。ただし、放電中の紫外線発生原子がＸｅ原子であることを仮定している（例えば、Ｎｅ（ネオン）とＸｅ（キセノン）の混合ガス（Ｎｅ  ＋  Ｘｅ）、あるいは（Ｎｅ  ＋  Ｘｅ）にさらに他の原子、分子ガスを混合したガス）。
【００５２】
放電ガス中のＸｅ組成比ａＸｅとは、「放電ガスの体積粒子（原子、分子）密度をｎｇとし、放電ガスに含まれるＸｅガスの体積粒子密度をｎＸｅとした時の、ａＸｅ  ＝  ｎＸｅ／ｎｇ  」である。体積粒子密度ｎｇおよびｎＸｅは、例えば質量分析器を用いて放電ガスの組成原子および分子を分析することにより求めることができる。  Ｘｅ組成比ａＸｅは、従来技術では通常４％〜６％である。
【００５３】
発明者等は、さらに検討を進めることにより、「（１）放電の電子温度Ｔｅを減少させる」最も有効な方法は、「（１ａ）放電のｐｄ積を増大させる」ことであることを明らかにした。ｐｄ積とは放電のガス圧力ｐと放電電極間の距離ｄの積である。放電のガス圧力ｐは、例えば圧力計により測定することができる。放電電極間の距離ｄは、例えば図２に示した従来例では、表示電極であるＸ電極およびＹ電極の間の距離である。電極が電極間距離方向に幅を有する場合は、実効的に放電が発生する部位間の距離である。
【００５４】
すなわち、
「Ａ１：  プラズマディスプレイ装置の発光効率（紫外線発生効率）を増大する最も有効な方法は、（１ａ）放電のｐｄ積を増大させること、あるいは（２）放電ガス中のＸｅ（キセノン）組成比ａＸｅを増大させることの、基本的に２種類である」と言える。図９に、これらの効果を、紫外線発生効率の相対値で示してある。
【００５５】
ここで認識すべき重要な事実は、
「Ａ２：  発光効率ｈを増大するいずれの方法（すなわち（１ａ）放電のｐｄ積を増大させること、あるいは（２）放電ガス中のＸｅ（キセノン）組成比ａＸｅを増大させること）においても、表示放電電圧Ｖｓが増大する」ことである。図９に、これらの効果を示してある。図９の（Ａ）は、Ｘｅ組成比ａＸｅ  ＝  ４％においてｐｄ積を変化させた時の紫外線発生効率と表示放電電圧Ｖｓを示している。図９の（Ｂ）は、ｐｄ積  ＝  ２００  Ｔｏｒｒ  ×  ｍｍにおいて、Ｘｅ組成比ａＸｅを変化させた時の紫外線発生効率と表示放電電圧Ｖｓを示している。
【００５６】
表示放電電圧Ｖｓとは、表示放電を維持するために表示電極間に印加すべき実効的電圧のことであり、より具体的には概略、表示放電最大印加電圧Ｖｓｅｍａｘあるいは直流電源表示放電電圧Ｖｓｄｃのことである。従来技術における表示放電電圧Ｖｓは、１５０Ｖ〜１８０Ｖである。
【００５７】
一方、図９に示すごとく、紫外線発生効率を十分大きくするためには、２００Ｖ以上の表示放電電圧Ｖｓが必要である。さらに、十分な効果を引き出すには、２２０Ｖ以上の表示放電電圧Ｖｓが必要である。さらに、例えば高ｐｄ積効果と高Ｘｅ組成比効果を同時に実現するためには、２４０Ｖ以上、さらには２６０Ｖ以上の表示放電電圧Ｖｓが必要である。
【００５８】
次に、プラズマパネルへの放電投入電力Ｐｐについて検討する。プラズマパネルへの放電投入電力Ｐｐは、
Ｐｐ  ＝  Ｎｃ  ×  Ｐｃ                            （９）
Ｐｃ  ＝  ２  ×  Ｆｄｒ  ×  Ｃｓｅ  ×  Ｖｓ２              （１０）
ただし、
Ｐｐ：  プラズマパネルへの放電投入電力  ［Ｗ］、
Ｐｃ：  １放電セルへの放電投入電力  ［Ｗ］、
Ｎｃ：  プラズマパネル内（表示空間内）の放電セル数、
Ｆｄｒ：  駆動周波数  ［Ｈｚ］、
Ｃｓｅ：  １放電セルにおける表示電極容量  ［Ｆ］、
Ｖｓ：  表示放電電圧  ［Ｖ］
である。駆動周波数Ｆｄｒは、単位時間（１秒間）において表示電極への周期的な電圧印加が行なわれる回数である。表示電極容量Ｃｓｅは、１放電セルにおいて表示電極（Ｘ電極あるいはＹ電極）が誘電体２６および保護膜２７を介して保護膜２７表面上の仮想電極と形成する容量である。表示電極容量Ｃｓｅは、さらに、
Ｃｓｅ  ＝  ε  ×  Ｓｓｅ／Ｄｓｉｆ                      （１１）
ただし、
ε：  誘電体２６および保護膜２７を総合した層の平均的誘電率  ［ＣＶ−１ｍ−１］、
Ｓｓｅ：  １放電セルにおける表示電極（Ｘ電極あるいはＹ電極）の面積、表示電極面積  ［ｍ２］、
Ｄｓｉｆ：  誘電体２６および保護膜２７を総合した層の厚さ  ［ｍ］
である。
【００５９】
式（９），（１０），（１１）より、プラズマパネルへの放電投入電力Ｐｐは、
Ｐｐ  ＝  ２  ×  Ｎｃ  ×  ε  ×  Ｆｄｒ  ×  （Ｓｓｅ／Ｄｓｉｆ）  ×  Ｖｓ２      （１２）
である。すなわち、他の条件が一定とすると、同じ放電投入電力Ｐｐを実現するためには表示電極面積Ｓｓｅと表示放電電圧の２乗Ｖｓ２が反比例の関係にある。すなわち、表示放電電圧Ｖｓが増大すると、その２乗に反比例して表示電極面積Ｓｓｅを小さくしても同一の放電投入電力Ｐｐをプラズマパネルに投入することができる。さらに、（８ａ）式より、
Ｂｐｏｎｓ  ＝  ｈｓ  ×  Ｐｐ  ／（π  ×  Ｓｐ  ）                        （１３）
Ｂｐｏｎｓ  ＝  Ｂｐｏｎｓｍ  ×  α                                  （１４）
ただし、
Ｂｐｏｎｓ：  フィルターありで暗室における最高輝度表示をした時の輝度、すなわちセット輝度またはセットピーク輝度  ［ｃｄ／ｍ２］、
である。
【００６０】
したがって、上記方法で表示電極面積Ｓｓｅを小さくしてもプラズマパネルへの放電投入電力Ｐｐを一定に保持できれば、プラズマディスプレイ装置の発光輝度Ｂｐｏｎｓも一定に保持することが可能である。すなわち、「たとえ発光効率が増大しても、表示放電電圧Ｖｓが増大することは回路コストの増大に繋がり望ましい技術ではない」と通常認識されるが、さらに検討を重ねた結果、上記の如く
「Ａ３：  少なくとも発光効率ｈｓを一定に保持して表示放電電圧Ｖｓが増大すれば、表示電極面積ＳｓｅをＶｓ２に反比例して減少させても一定の放電投入電力Ｐｐと発光輝度Ｂｐｏｎｓを保持することができる」という明確な利点があることを明らかにした。
【００６１】
発明者等は、自ら明らかにした上記Ａ１、Ａ２、Ａ３の認識を基礎にさらに検討を重ね、「セット発光効率が大きく（すなわち低消費電力で高輝度な表示画像が得られ）、かつ明室コントラストも大きいプラズマディスプレイ装置を実現する技術」を発明した。以下、その基本的考え方をのべる。
【００６２】
そもそも、技術開発の困難さは（６）式、（８ｂ）式および（１４）式で表現されている。すなわち、上述した如く「モジュール発光効率ｈｍやモジュール輝度Ｂｐｏｎｍが一定であっても、明室コントラストＣｂを増大させるためにフィルター透過率αを小さくする（（６）式）と、セット発光効率ｈｓやセット輝度Ｂｐｏｎｓがαに比例して減少してしまう（（８ｂ）式および（１４）式）」ことである。しかし、（６）式、（８ｂ）式および（１４）式をさらによく調べると、
「Ａ４：  プラズマパネルの表示領域表面反射率βを小さくすることができれば、セット発光効率ｈｓやセット輝度Ｂｐｏｎｓを減少させることなく明室コントラストＣｂを増大させることができる」ことがわかる。
【００６３】
表示領域表面反射率βは、表示領域での表面反射率の平均値である。表示領域表面反射率βを増大させる最大要因は、上記表示領域の上記表示面における面積（すなわち表示領域面積）に対する上記放電領域の上記表示面における面積（すなわち放電領域面積）の割合（すなわち放電領域面積率）である。特に、表示領域面積に対する表示放電領域面積（上記表示放電領域の上記表示面における面積）の割合（すなわち表示放電領域面積率）が重要である。なぜなら、放電領域を定める放電空間（特に表示放電空間）においては表示放電が行なわれ、表示放電で発生する紫外線を可視光に変換する蛍光体が広い面積で塗布されているからである。
【００６４】
蛍光体で発生する可視光を有効活用するために、一般的に蛍光体層（蛍光体を塗布した層）の反射率は高い。すなわち、外部から見たとき蛍光体層は白色である。さらに、放電空間の構造自体が、蛍光体層で発生した可視光を効率良く視野空間に放出する構造になっている。すなわち、外部から見たとき放電空間は白色である。すなわち、放電領域の反射率が高い。したがって、放電領域面積率（特に表示放電領域面積率）が大きくなると表示領域表面反射率βが増大する。表示放電領域面積率Ａｄを、
Ａｄ  ＝  Ｓｄ／Ｓｐ                              （１５）
ただし、
Ｓｄ：  表示放電領域面積  ［ｍ２］、
Ｓｐ：  表示領域面積  ［ｍ２］
とすると、表示放電領域面積率Ａｄは従来４５％以上である。この結果、従来技術での表示領域表面反射率βは２５％以上である。
【００６５】
表示放電領域面積率Ａｄおよび表示領域表面反射率βを決定しているのが表示放電領域面積Ｓｄであり、各放電セルにおける表示電極面積Ｓｓｅの大きさである。すなわち、
「Ａ５：  表示電極面積Ｓｓｅが小さくなれば、表示放電領域面積Ｓｄが小さくなり、表示領域表面反射率βが小さくなる」である。
【００６６】
以上、本発明に関連して順次明らかにした事実Ａ１〜Ａ５を総合的に理解することにより
「Ａ６：  （１ａ）放電のｐｄ積を増大させること、あるいは（２）放電ガス中のＸｅ（キセノン）組成比ａＸｅを増大させることにより発光効率ｈｓを増大しかつ表示放電電圧Ｖｓが増大する、この結果表示電極面積ＳｓｅをＶｓ２に概略反比例して減少させることによりプラズマパネルの表示放電領域面積率Ａｄおよび表示領域表面反射率βを小さくすることができ、これによりセット発光効率ｈｓやセット輝度Ｂｐｏｎｓを増大させ、かつ明室コントラストＣｂを増大させることができる」という事実を初めて理解することができる。これが、本発明の基本原理である。
【００６７】
図９に示したごとく、（１ａ）放電のｐｄ積を増大させること、あるいは（２）放電ガス中のＸｅ（キセノン）組成比ａＸｅを増大させることにより発光効率ｈｓを増大すると、表示放電電圧Ｖｓは、従来技術の１５０Ｖ〜１８０Ｖに対して２００Ｖ以上、２２０Ｖ以上、２４０Ｖ以上、さらには２６０Ｖ以上に増大する。ただし、装置構造および材料の耐圧による制限より、使用可能な表示放電電圧Ｖｓは１０００Ｖ以下である。この結果、表示放電領域面積率Ａｄを、従来技術の４５％以上（ＡＬＩＳ方式プラズマディスプレイ装置では６５％以上）に対して４０％以下、３５％以下、３０％以下、さらには２０％以下にすることができる。また、この結果、表示領域表面反射率βを、従来技術の２５％以上に対して２０％以下、１７％以下、１５％以下、さらには１０％以下にすることができる。
【００６８】
次に、本発明の実施の形態を、図面を参照して詳細に説明する。なお、実施の形態を説明する全図において、従来例と同一機能を有するものは同一符号を付け、その繰り返しの説明は省略する。
【００６９】
［実施の形態１］
図１は、本発明の実施の形態１の基本プラズマパネルの断面図である。従来例を示す図３の断面に相当する図である。放電空間３３は、保護膜２７と蛍光体３２に囲まれている。図１において横方向が隔壁３１の幅方向である。幅方向と直角方向（図中の縦方向）が高さ方向であり、高さ方向にｚ座標軸が示されてある。幅方向および高さ方向と直角方向（すなわち図の紙面と垂直方向）が長手方向である。
【００７０】
Ｗｄｓ（ｚ）およびＷｒｂ（ｚ）は、幅方向の長さであり、各々放電空間幅および隔壁幅である。放電空間幅Ｗｄｓ（ｚ）および隔壁幅Ｗｒｂ（ｚ）は高さ方向すなわちｚ座標の関数である。ｈｄｓおよびｈｒｂは、高さ方向の長さであり、各々放電空間高さおよび隔壁高さである。放電空間幅Ｗｄｓ（ｚ）を、放電空間高さｈｄｓに亘って平均した値が平均放電空間幅Ｗｄｓａである。隔壁幅Ｗｒｂ（ｚ）を、隔壁高さｈｒｂに亘って平均した値が平均隔壁幅Ｗｒｂａである。また、ｈｐｈは蛍光体層の厚さである。従来例においては、平均隔壁幅Ｗｒｂａはできる限り小さく設定されており、通常０．０６  ｍｍ以下である。
【００７１】
図１に示した実施の形態１が、図２〜図６で示した従来例と異なる点およびその理由について以下説明する。異なる理由および利点に関して、既に説明した内容は省略する。
【００７２】
紫外線発生効率を増大するために、放電ガスのＸｅ組成比ａＸｅが１０％以上、さらには１５％以上、さらには２０％以上、さらには５０％以上になっている。放電ガスのＸｅ組成比ａＸｅが増大すると共に紫外線発生効率も増大するが、リセット放電、アドレス放電、表示放電等の放電電圧も増大する。このことを考慮して実用的に最適な条件を選定する。上記電圧上昇を認めれば敢えて概略純粋なＸｅガス（ａＸｅ  ≒  １００％）を用いることも可能である。また、表示電極間ギャップＷｇｘｙもなるべく大きく設定されている。この結果、表示放電電圧Ｖｓ、より具体的には表示放電最大印加電圧Ｖｓｅｍａｘあるいは直流電源表示放電電圧Ｖｓｄｃが、２００Ｖ以上、さらには２２０Ｖ以上、さらには２４０Ｖ以上、さらには２６０Ｖ以上になっている。ただし、装置構造および材料の耐圧による制限より、使用可能な表示放電電圧Ｖｓは１０００Ｖ以下である。
【００７３】
上記のように表示放電電圧Ｖｓが大きくなった結果、放電セルにおける表示電極面積Ｓｓｅを小さくすることが可能となる。従って、明室コントラストを向上させることが可能となる。
【００７４】
先ず、前記Ａ４におけると同様に、表示領域表面反射率βで、本実施の態様を説明する。
【００７５】
ここで、プラズマパネルにおける，表示用の可視光が放射される面を表示面とし、該表示面から可視光が放射される空間を視野空間とし、複数の放電セルを連続的に包含する空間を表示空間とし、この表示空間の、上記表示面へ投影された領域を表示領域Ｒｐとし、視野空間から該表示領域Ｒｐに白色光を入射させたとき、該表示領域Ｒｐから出射する光のエネルギーの、該入射された白色光のエネルギーに対する比の、該表示領域Ｒｐにおける平均値を、表示領域表面反射率βとした場合、０．０２  ≦  β  ≦  ０．２  が満足されることが好ましい。明室コントラスト改善には、表示領域表面反射率βがより小さいことが好ましいが、βを過度に小さくすると、表示輝度そのものが低下してしまうので上記範囲のβが選ばれる。また後述するように、表示領域表面反射率βの低減を、表示放電領域面積率Ｓｄ／Ｓｐの低減、或いは黒色領域面積率Ｓｂ／Ｓｐの増大で実現する際に、表示領域表面反射率βの実用的な下限が存在し、表示領域表面反射率βの上記範囲が実用的価値を有する範囲である。より好ましい表示領域表面反射率βの範囲は０．１〜０．１５である。
【００７６】
さらに、前記Ａ４におけると同様に、上記表示領域表面反射率βによる明室コントラストの改善を、表示放電領域面積率Ａｄで、本実施の態様の一例を説明する。
【００７７】
上記表示領域Ｒｐの面積をＳｐとし、表示に利用される放電空間を表示放電空間とし、該表示放電空間の、表示面へ投影された領域を表示放電領域とし、上記表示領域Ｒｐにおける上記表示放電領域の集合をＲｄとし、該表示放電領域の集合Ｒｄの面積をＳｄとした場合、表示放電領域面積率Ａｄ  ＝  Ｓｄ／Ｓｐが、０．０５  ≦  Ａｄ  ≦  ０．４を満足することが好ましい。表示放電領域の集合Ｒｄの面積Ｓｄが小さくなり過ぎると、発光輝度が小さくなり過ぎて表示装置として機能しなくなる。維持放電電圧Ｖｓが大きくなれば、その分表示放電領域面積率Ａｄを小さくすることができるが、２００  Ｖ  ≦  Ｖｓ  ≦  １０００  ＶをＶｓの実用的な範囲とすると、０．０５  ≦  Ａｄ  ≦  ０．４が実用的な価値を有する範囲である。この結果、表示領域表面反射率βは上記範囲内に納めることができる。より好ましいＡｄの範囲は０．２〜０．３である。
【００７８】
なお、放電セルの、上記表示面へ投影された領域をセル領域とし、前記複数の放電セルの、少なくとも一部の放電セルにおいて、該セル領域における上記表示放電領域以外の領域を非表示放電領域としたとき、前記視野空間から該非表示放電領域に白色光を入射させたとき、該非表示放電領域から出射する光のエネルギーの、該入射された白色光のエネルギーに対する比が０．２以下にされている。この比は小さいほど望ましいが、プロセス温度（通常５００℃程度の加熱工程がある）や材料コストを考慮すると、上記比は０．０２〜０．２が実用的価値を有する範囲である。
【００７９】
上記した表示放電最大印加電圧Ｖｓｅｍａｘ、直流電源表示放電電圧Ｖｓｄｃ、表示放電領域面積率Ａｄおよび表示領域表面反射率βの設定値は、上記した放電ガスのＸｅ組成比ａＸｅや表示電極間ギャップＷｇｘｙ等のセル構造設定値により変化する。
【００８０】
上記非表示放電領域における上記反射率を具体的に実現するために、例えば、少なくとも一部の上記放電セルにおいて、上記平均隔壁幅Ｗｒｂａが０．１  ｍｍ以上、さらには０．１５  ｍｍ以上、さらには０．２  ｍｍ以上に設定されている。また、表示領域反射率βを出来る限り小さくするために、隔壁あるいは隔壁頭部（隔壁の視野空間側すなわち表示面側部分）が黒色の材料で形成されている。あるいは、隔壁よりも視野空間側の空間に、隔壁に合わせて黒色の層（通常黒色帯またはブラックマトリックスと呼ばれる）が形成されてある。ここで、黒色の材料あるいは黒色の層とは、その表面反射率が上記値の材料あるいは層である。
【００８１】
次に、上記表示領域反射率βを黒色領域の面積比率の面から達成した本実施の態様の他の例を説明する。
【００８２】
複数の放電セルの、少なくとも一部の放電セルに、視野空間から表示面に白色光を入射させたとき、該表示面から出射する光のエネルギーの、該入射された白色光のエネルギーに対する比が０．２以下である黒色領域を持たせ、上記表示領域Ｒｐの面積をＳｐ、さらに表示領域Ｒｐにおける該黒色領域の集合をＲｂとし、該黒色領域の集合Ｒｂの上記表示面における面積をＳｂとしたとき、黒色領域面積率Ａｂ  ＝  Ｓｂ／Ｓｐが、０．９５  ≧  Ａｂ  ≧  ０．５を満足するものである。
【００８３】
上記黒色領域の面積Ｓｂが大きくなり過ぎると、発光輝度が低下して表示装置として機能しなくなる。維持放電電圧Ｖｓが大きくなれば、その分黒色領域面積率Ｓｂ／Ｓｐを大きくすることができるが、２００Ｖ  ≦  Ｖｓ  ≦  １０００Ｖを、維持放電電圧Ｖｓの実用的な範囲とすると、０．９５  ≧  黒色領域面積率Ｓｂ／Ｓｐ  ≧  ０．５が実用的価値を有する範囲である。黒色領域面積率Ｓｂ／Ｓｐのより好ましい範囲は０．７〜０．８である。
【００８４】
この場合も、黒色領域に白色光を入射させたとき、該黒色領域から出射する光のエネルギーの、該入射された白色光のエネルギーに対する比は小さいほど望ましいが、プロセス温度（通常５００℃程度の加熱工程がある）や材料コストを考慮すると、上記比は０．０２〜０．２が実用的価値を有する範囲である。
【００８５】
次に、上記表示領域表面反射率βを実現するために、少なくとも一部の放電セルにおいて、視野空間から見た白色光に対する表面反射率が大きな領域すなわち白色領域ＲＷと小さな領域すなわち黒色領域ＲＢを存在させ、下記の条件を満足させた、本実施の態様における、さらに他の一例を説明する。
【００８６】
先ず、反射率を、視野空間から表示面に白色光を入射したとき、該表示面から出射する光のエネルギーの、該入射された白色光のエネルギーに対する比と定義し、前記複数の放電セルの、少なくとも一部の放電セルにおいて、前記反射率の最大値をβｍａｘとしたとき、前記少なくとも一部の放電セルが、前記反射率が０．５×  βｍａｘ以下である黒色領域を有し、これを下記条件が満たされるように設定する。
【００８７】
先ず、複数の放電セルを連続的に包含する空間を表示空間とし、この表示空間の、表示面へ投影された領域を表示領域Ｒｐとし、該表示領域Ｒｐの面積をＳｐとし、上記表示領域Ｒｐにおける上記黒色領域ＲＢの集合をＲｂとし、該黒色領域ＲＢの集合Ｒｂの上記表示面における面積をＳｂとしたとき、黒色領域面積率Ａｂ  ＝  Ｓｂ／Ｓｐが下記式を満足するようにするものである。
０．９５  ≧Ａｂ  ≧  ０．５
上記黒色領域の面積Ｓｂが大きくなり過ぎると、発光輝度が低下して表示装置として機能しなくなる。維持放電電圧Ｖｓが大きくなれば、その分黒色領域面積率Ｓｂ／Ｓｐを大きくすることができるが、２００Ｖ  ≦  Ｖｓ  ≦  １０００Ｖを、維持放電電圧Ｖｓの実用的な範囲とすると、０．９５  ≧  黒色領域面積率Ｓｂ／Ｓｐ  ≧  ０．５が実用的価値を有する範囲である。黒色領域面積率Ｓｂ／Ｓｐのより好ましい範囲は０．７〜０．８である。
【００８８】
高コントラストな表示のためには上記黒色領域面積率Ａｂはなるべく大きいことが望ましいが、実際の実現値は上記した放電ガスのＸｅ組成比ａＸｅや表示電極間ギャップＷｇｘｙ等のセル構造設定値および実現すべき輝度により変化する。
［実施の形態２］
図１０は、本発明の実施の形態２の基本プラズマパネルの概略図である。図１０は、視野空間側から見た基本プラズマパネルの一部を示している。図１１、図１２は、それぞれ図１０に示したＤ１，Ｄ２の方向から見た断面図である。以下、本実施の形態と実施の形態１との相違点について説明する。
【００８９】
まず、本実施の形態では隔壁がボックス隔壁構造になっている。すなわち、隔壁の長手方向が少なくとも２方向ＤＲ１とＤＲ２に配置されており、これら方向は図１０中のＤ１とＤ２に一致している。実施の形態１で説明したのと同様の方法で、長手方向が少なくとも２方向（ＤＲ１とＤＲ２）の隔壁構成部に関して平均隔壁幅Ｗｒｂａが決定される。少なくとも一部の放電セルにおいて、長手方向が上記２方向すなわちＤＲ１とＤＲ２の少なくともいずれかの方向に配置された上記隔壁の平均隔壁幅Ｗｒｂａが０．１  ｍｍ以上、さらには０．１５  ｍｍ以上、さらには０．２  ｍｍ以上に設定されている。
【００９０】
本実施の形態のもう一つの特徴は、表示放電電極対（Ｘ電極とＹ電極）が対向配置になっていることである。すなわち、Ｙ電極２３０とＹバス電極２５０が前面ガラス基板２１に設置されてあり、Ｘ電極２２０が背面ガラス基板２８に上記Ｙ電極と高さ方向に対向する配置で設置されてある。背面板側にあるＸ電極２２０は可視光を透過する必要はなく、必ずしも透明電極である必要はない。また、Ｘ電極、Ｙ電極共に誘電体２６と保護膜２７で被覆されてある。蛍光体３２は隔壁３１の側壁だけに塗布されており、上記Ｘ電極およびＹ電極を被覆する保護膜２７上には塗布されていない。図１１、図１２に示したｈがセル高さ、あるいはリブ高さ、あるいは放電空間高さである。
【００９１】
このように表示放電電極対を対向配置にすることにより、表示放電電極対の一方（Ｘ電極）と表示電極間ギャップＷｇｘｙが表示領域の一部を専有する必要がなくなる。すなわち、表示放電領域面積Ｓｄが小さくなり、表示放電領域面積率Ａｄを小さくすることができる。したがって、表示領域表面反射率βを小さくすることが容易になる。
【００９２】
図９で説明したごとく、紫外線発生効率を増大するためには放電のｐｄ積を大きくする必要がある。本実施の形態では、放電電極間の距離ｄは放電空間高さｈである。十分な紫外線発生効率を得るためには、放電空間高さｈが０．２  ｍｍ以上、さらには０．４  ｍｍ以上、さらには０．６  ｍｍ以上、さらには１．０  ｍｍ以上である必要がある。放電空間高さｈが大きいほどより大きな紫外線発生効率を得る得ることができるが、一方で隔壁アスペクト比Ａｒｂａｓの大きな隔壁を形成する必要があり製造コストの増大を招くことになる。隔壁アスペクト比Ａｒｂａｓとは、ｈ／Ｗｒｂａのことである。
【００９３】
上記の放電高さｈを実現するためには、例えば下記の構造が必要となる。すなわち、プラズマパネルの高さ方向に座標軸ｚをとり、上記表示電極であるＸ電極の上記座標軸ｚの位置座標をｚＸとし、上記Ｙ電極の上記座標軸ｚの位置座標をｚＹとし、上記位置座標ｚＸとｚＹの差の絶対値｜ｚＹ−ｚＸ｜が０．２  ｍｍ以上、さらには０．４  ｍｍ以上、さらには０．６  ｍｍ以上、さらには１．０  ｍｍ以上である必要がある。
【００９４】
また、放電空間高さｈを大きくすると、放電空間アスペクト比Ａｄｓａｓ  ＝  ｈ／Ｗｄｓａも大きくなる。放電空間アスペクト比が大きくなると、蛍光体３２で発光した可視光は蛍光体３２の表面あるいは背面板の保護膜２７表面（あるいは背面板の誘電体２６表面）で多重回反射をして視野空間に出てくる。したがって、可視光を有効活用するために、蛍光体３２の表面あるいは背面板の保護膜２７表面（あるいは背面板の誘電体２６表面）の表面反射率（これを非開口面反射率と呼ぶ）を大きくする必要がある。この非開口面反射率は通常６０％程度であり、これを８０％以上さらには９０％以上にすることが望ましい。上記放電空間高さｈを大きくすればするほど、この非開口面反射率を大きくすることが必要となる。上記非開口面反射率を次のように説明することできる。すなわち、上記放電セルにおいて上記表示放電空間を取り囲む固体壁を表示放電空間内面とし、上記表示放電空間内面のうち表示用の可視光が視野空間に向けて放射する面を開口面とし、上記表示放電空間内面のうち上記開口面以外の固体壁を非開口面とし、上記非開口面の表面反射率の平均値を非開口面反射率とする。
【００９５】
【発明の効果】
本発明によれば、セット発光効率が大きく（すなわち低消費電力で高輝度な表示画像が得られ）かつ明室コントラストも大きいプラズマディスプレイ装置を実現することができる。
【図面の簡単な説明】
【図１】本発明の実施の形態１を示した図である。
【図２】本発明のプラズマディスプレイパネルの構造の一部を示す分解斜視図である。
【図３】図２中の矢印Ｄ１の方向から見たプラズマディスプレイパネルの断面図である。
【図４】図２中の矢印Ｄ２の方向から見たプラズマディスプレイパネルの断面図である。
【図５】ＰＤＰを用いた画像表示システムを示した図である。
【図６】ＰＤＰに１枚の画を表示する１  ＴＶフィールド期間の動作を示した図である。
【図７】駆動手段の一部を示した図である。
【図８】プラズマパネルとフィルターを組み合わせた構成を示した図である。
【図９】紫外線発生効率を増大する方法を示した図である。
【図１０】本発明の実施の形態２を示した図である。
【図１１】本発明の実施の形態２を図１０の矢印Ｄ１方向から見た断面図である。
【図１２】本発明の実施の形態２を図１０の矢印Ｄ２方向から見た断面図である。
【符号の説明】
３…電子、
４…正イオン、
５…正壁電荷、
６…負壁電荷、
２１…前面ガラス基板、
２２−１乃至２２−２…Ｘ電極、
２３−１乃至２３−２…Ｙ電極、
２４−１乃至２４−２…Ｘバス電極、
２５−１乃至２５−２…Ｙバス電極、
２６…誘電体、
２７…保護膜（保護層）、
２８…背面ガラス基板、
２９…Ａ電極、
３０…誘電体、
３１…隔壁、
３２…蛍光体、
３３…放電空間、
４０…ＴＶフィールド、
４１乃至４８、４１−１乃至４８−１、４１−２乃至４８−２…サブフィールド、
４９、４９−１、４９−２…予備放電期間、
５０、５０−１、５０−２…書き込み放電期間、
５１…発光表示期間、
５２…１本のＡ電極に印加する電圧波形、
５３…Ｘ電極に印加する電圧波形、
５４…Ｙ電極のｉ番目に印加する電圧波形、
５５…Ｙ電極のｉ＋１番目に印加する電圧波形、
５６…Ｙ電極のｉ行目に印加されるスキャンパルス、
５７…Ｙ電極のｉ＋１行目に印加されるスキャンパルス、
５８…Ｘ電極に印加される電圧波形、
５９…Ｙ電極に印加される電圧波形、
１００…プラズマディスプレイパネルまたはＰＤＰ、
１０１…駆動回路、
１０２…映像源、
１０３…プラズマディスプレイ装置、
２２０…Ｘ電極、
２３０…Ｙ電極、
２５０…Ｙバス電極
【図１】
2005032478.tif 000005
【図２】
2005032478.tif 000006
【図３】
2005032478.tif 000007
【図４】
2005032478.tif 000008
【図５】
2005032478.tif 000009
【図６】
2005032478.tif 000010
【図７】
2005032478.tif 000011
【図８】
2005032478.tif 000012
【図９】
2005032478.tif 000013
【図１０】
2005032478.tif 000014
【図１１】
2005032478.tif 000015
【図１２】
2005032478.tif 000016